(57)【要約】【課題】本発明は、光伝送路接続モジュールに関し、光導波路における端部反射面のビーム全反射を完全なものにすることが課題である。        【解決手段】反射用端面を端部側に有した光導波路と、該光導波路における反射用端面の内側で反射するビームを受光若しくは発光している光受光素子または光発光素子と、この素子を支持する光素子パッケージと、これらをカバーする光デバイスケースと、でなる光伝送路接続モジュールにおいて、前記反射用端面の外側面に、前記ビームを全反射させる反射部材を当接させた光伝送路接続モジュール１とする。【選択図】図１
2006323162.tif 000002
【特許請求の範囲】
【請求項１】
反射用端面を端部側に有した光導波路と、該光導波路における反射用端面の内側で反射するビームを受光若しくは発光している光受光素子または光発光素子と、この素子を支持する光素子パッケージと、これらをカバーする光デバイスケースと、でなる光伝送路接続モジュールにおいて、
前記反射用端面の外側面に、前記ビームを全反射させる反射部材を当接させたこと、
を特徴とする光伝送路接続モジュール。
【請求項２】
反射部材は、弾性体の一つの平面に貼着した反射膜であること、
を特徴とする請求項１に記載の光伝送路接続モジュール。
【請求項３】
弾性体は、光デバイスケースの光導波路を載置して押さえる蓋部材の内側面に設けられ、且つ、この蓋部材が閉蓋されたときに当該弾性体が若干撓む大きさと形状にされ配設されていること、
を特徴とする請求項２に記載の光伝送路接続モジュール。
【請求項４】
反射部材は、光導波路のビームが通過するコアの屈折率に対して、前記ビームを全反射させる屈折率の材料であること、
を特徴とする請求項１に記載の光伝送路接続モジュール。
【発明の詳細な説明】
【技術分野】
【０００１】
本発明は、例えば、光伝送路接続モジュールに関するものである。
【背景技術】
【０００２】
従来、例えば、光発光素子又は光受光素子と、光導波路と、これらを支持する光デバイスと、で光伝送モジュールが構成されている。前記素子の周囲にビーム用反射枠を設けて、これらを封止したものが知られている（特許文献１参照）。また、図６に示すように、前記光素子１０と光導波路１１とは、例えば、光素子パッケージ１２を介して前記光導波路１１の端面１１ｃに反射させて、光素子１０のビームａをコア１１ａに導光させたり、コア１１ａから受光素子に導光させたりしている。この光導波路１１は、図６乃至図７に示すように、全体がフラットな可撓性のあるケーブルで、クラッド１１ｂに数個のコア１１ａが埋設されて構成されている。このような、光伝送モジュールは、電気信号のように電磁波のノイズによって影響を受けるということが全くないので、高速伝送若しくは大容量化に伴うもの、例えば、電送携帯電話等の電子機器における信号接続部材として好ましいものである。
【特許文献１】特開２００５−１９４８８号公報
【発明の開示】
【発明が解決しようとする課題】
【０００３】
しかし、従来の光伝送路接続モジュールでは、光素子からのビームが、４５度に切断された端面１１ｃに全反射させているが、厳密には若干の光漏れがあり、完全に全反射させているものではない。更に、前記端面１１ｃの外面側にゴミなどが付着してしまう。また、光導波路を光モジュール部分に載置させる蓋部材の操作性を良くすること等においても解決すべき課題がある。そこで、前記端面１１ｃにおけるビームａの反射を完全に全反射させるべく、本発明に係る光伝送路接続モジュールが提案されたものである。
【課題を解決するための手段】
【０００４】
本発明に係る光伝送路接続モジュールの上記課題を解決して目的を達成するための要旨は、 反射用端面を端部側に有した光導波路と、該光導波路における反射用端面の内側で反射するビームを受光若しくは発光している光受光素子または光発光素子と、この素子を支持する光素子パッケージと、これらをカバーする光デバイスケースと、でなる光伝送路接続モジュールにおいて、前記反射用端面の外側面に、前記ビームを全反射させる反射部材を当接させたことである。
【０００５】
前記反射部材は、弾性体の一つの平面に貼着した反射膜であること、；
前記弾性体は、光デバイスケースの光導波路を載置して押さえる蓋部材の内側面に設けられ、且つ、この蓋部材が閉蓋されたときに当該弾性体が若干撓む大きさと形状にされ配設されていること、；
前記反射部材は、光導波路のビームが通過するコアの屈折率に対して、前記ビームを全反射させる屈折率の材料であること、；
を含むものである。
【発明の効果】
【０００６】
本発明の光伝送路接続モジュールによれば、前記反射部材により光導波路の端部における反射用端面でのビームの全反射が確実に行われるようになる。これにより、ビームの伝送損失の低下を防止することができる。前記反射部材を前記端面に当接させることにより密着させるので、ゴミなどの異物の付着が防止される。また、結露が生じても光路の変更がない。
【０００７】
前記反射部材は、光導波路のビームが通過するコアの屈折率に対して、前記ビームを全反射させる屈折率の材料であることでも達成することができる。
前記反射部材を、例えばゴムやウレタン等の弾性体を使い、その一平面に反射膜を蒸着若しくは接着等の貼着手段により、貼着させて行うものである。これにより、耐震性若しくは衝撃性に優れたものになる。
【０００８】
また、前記弾性体は、光デバイスケースの蓋部材の内側に設けて、この蓋部材を閉蓋させた時に、前記貼着した反射部材が光導波路の反射用端面に当接させるようにして設けられる。これにより、前記蓋部材を閉蓋することで同時に反射用端面におけるビームの全反射も達成されるようになり、操作性が良く、簡易な構造で容易である。
【０００９】
更に、この蓋部材を閉蓋することで、前記弾性体が若干撓むので、反射部材の密着性を保つと共に、この片開きの蓋部材を開けた時に、前記撓んだ弾性体の弾性力により蓋部材が閉じた状態から拡開されて、半開き状態となる。よって、その後、指で蓋部材を開けるのが容易となる。
【発明を実施するための最良の形態】
【００１０】
本発明に係る光伝送路接続モジュール１について説明する。なお、発明の理解を容易にするため、従来例に対応する部分には、従来例と同一符号を付けて説明する。図１乃至図２に示すように、反射用端面１１ｃを端部側に有した光導波路１１と、該光導波路１１における反射用端面１１ｃの内側で反射するビームａを受光若しくは発光している光素子１０と、この光素子１０を支持する光素子パッケージ１２と、光デバイス１２ａと、これらをカバーする光デバイスケース１３とでなる。
【００１１】
そして、前記反射用端面１１ｃの外側面に、前記レーザー等のビームａを全反射させる反射部材２を当接させている。前記反射部材２は、例えばゴムやウレタン等の弾性体３を使い、その一平面３ａに反射膜をアルミ蒸着等の蒸着、若しくは、接着剤による接着等の貼着手段により、貼着させて形成するものである。
【００１２】
そして、図３乃至図４に示すように、前記弾性体３は、光デバイスケース１３の、平板状の光導波路１１を載置して押さえる蓋部材１３ａの内側面に設けられる。更に、この蓋部材１３ａが閉蓋されたときに、前記反射部材２が反射用端面１１ｃに当接して密着し、当該弾性体３が若干撓む大きさと形状にされ配設されている。また、蓋部材１３ａの前側に緩衝材３ａが設けられている。なお、前記弾性体３と緩衝材３ａとは、一体に形成しても良い。                 
【００１３】
前記蓋部材１３ａは、図２（Ｂ）に示すように、光デバイスケース１３の側壁に設けられた回転軸１３ｃを中心にして回転する、例えば、金属製若しくは合成樹脂製の片開きの蓋である。なお、光デバイス１２ａの放熱を考慮すれば、この蓋部材１３ａは、アルミニウム、ステンレス、銅等の金属製が放熱性の点で好ましい。
【００１４】
前記蓋部材１３ａの先端部の両側壁から係止片１３ｄが延設され、そこに係止窓１３ｅが設けられている。ケース本体側の係止突起１３ｆが、前記係止窓１３ｅと係合する。また、前記蓋部材１３ａが閉じる範囲には、図２（Ｃ）に示すように、光導波路１１用の位置決めピン１３ｇが突設されている。
【００１５】
前記光導波路１１は、図５（Ａ）に示すように、平板状のクラッド１１ｂに複数個のコア１１ａが埋設され、その一端側の端面１１ｃは、４５度にカットされている。この端部側には、金属製の補強プレート４が貼着されており、位置決め用の孔５が穿設されている。
【００１６】
図５（Ｂ）に示す光導波路１１は、平板状のクラッド１１ｂの片面に、金属製の導体（金メッキした銅箔等）６を設けた例である。この場合には、光デバイスケース１３側においても、図３（Ｂ）に示すように、電源用若しくは電気信号用のコンタクト７が設けられているものである。これにより、前記導体６とコンタクト７とを経由してプリント基板の回路に導通し、光導波路１１により光信号のみならず、電源供給や電気信号の伝達も可能となる。
【００１７】
このようにして成る光伝送路接続モジュール１は、図１及び図４に示すように、光導波路１１の端面１１ｃに反射部材２が当接して密着し、完全にビームａを全反射させる。そして、前記反射用端面１１ｃの外側面に、ゴミなどの異物が付着するのを防止することになる。
【００１８】
また、前記蓋部材１３ａが金属製であると、光素子１０の発熱を効率的に放熱させることもできる。また、蓋部材１３ａを指で上方向に押し上げると、係止片１３ｆと係止窓１３ｅとの係合が解除され、撓んでいた弾性体３の弾発力で回転軸１３ｃを中心にして蓋部材１３ａが回転し、半開きの状態になる。この弾性体３があることで、蓋部材１３ａが開けやすくなるものである。
【００１９】
本発明の他の実施例として、前記反射部材２は、光導波路１１のビームａが通過するコア１１ａの屈折率に対して、前記ビームａを全反射させる屈折率の材料とすることでも達成される。よって、例えば、前記弾性体３の屈折率を適宜に選択することで達成することができる。
【図面の簡単な説明】
【００２０】
【図１】本発明に係る光伝送路接続モジュール１の、蓋部材が開閉状体の時の概略縦断面図（Ａ）と蓋部材を閉蓋させた使用状態における断面図（Ｂ）とである。
【図２】同本発明の光伝送路接続モジュール１の平面図（Ａ）と、正面図（Ｂ）と、斜視図（Ｃ）とである。
【図３】同本発明の光伝送路接続モジュール１における光デバイス１２ａとそのケース１３との分解斜視図（Ａ）と、蓋部材１３ａを閉蓋状態にした縦断面図（Ｂ）とである。
【図４】同本発明の光伝送路接続モジュール１の一部の拡大縦断面図である。
【図５】同本発明の光伝送路接続モジュール１における光導波路１１の斜視図（Ａ）と、他の実施に係る導体６を有する光導波路１１の斜視図である。
【図６】従来例に係る光モジュールの概略構成図である。
【図７】同光素子と光導波路との構成図であって、平面図（Ａ）と、側面図（Ｂ）と、正面図（Ｃ）と、斜視図（Ｄ）とである。
【符号の説明】
【００２１】
１          光伝送路接続モジュール、
２          反射部材、
３          弾性体、                           ３ａ          一平面、
３ｂ        緩衝材、
４          プレート、
５          孔、
６          導体、
７          コンタクト、
１０        光素子、
１１        光導波路、                          １１ａ        コア、
１１ｂ      クラッド、                          １１ｃ        反射用端面、
１２        光素子パッケージ、                  １２ａ        光デバイス、
１３        光デバイスケース、                  １３ａ        蓋部材、
１３ｂ                                          １３ｃ        回転軸、
１３ｄ      係止片、                            １３ｅ        係止窓、
１３ｆ        係止突起、                        １３ｇ        位置決めピン。
【図１】
2006323162.tif 000003
【図２】
2006323162.tif 000004
【図３】
2006323162.tif 000005
【図４】
2006323162.tif 000006
【図５】
2006323162.tif 000007
【図６】
2006323162.tif 000008
【図７】
2006323162.tif 000009